(57)【要約】      （修正有）【課題】カーシート等に着座している使用者に対し高温期における長時間走行時等において、空調による冷気が行き渡らないような身体の部位を効果的に冷却し、使用者の快適性を向上し得る冷気強制送風式保冷具を提供する。【解決手段】内部にジェルを含む保冷媒体を封入し、かつ、保冷媒体の収納領域以外の領域に、複数の抜穴部１３を散在状態に設けた保冷具基体５と、保冷具基体５の裏面側に添着した複数の通気流路を有する多穴弾性体と、多穴弾性体の裏面側に添着した裏面被覆材と、保冷具基体５、多穴弾性体及び裏面被覆材の外周部を逢着し、これらを一体化する周辺逢着材と、により保冷具本体１０を構成する。保冷具本体１０の端辺部に、吸入した空気を保冷媒体により生成する冷気ととともに保冷具本体１０の表面前方に送風する送風手段５１を設ける。【選択図】図１
0003169036.tif 000002
【実用新案登録請求の範囲】
【請求項１】
載置対象物上に載置可能な形状に形成されるとともに、内部にジェルを含む保冷媒体を封入し、かつ、保冷媒体を収納した領域以外の部分に、複数の抜穴部を散在状態に設けた保冷具基体と、
前記保冷具基体の裏面側に添着した多数の通気流路を有する多穴弾性体と、
前記保冷具基体及び多穴弾性体の外周部を逢着し、これらを一体化する周辺逢着材と、
により保冷具本体を構成するとともに、
前記保冷具本体に取り付けられるとともに、吸入した空気を、前記多穴弾性体の通気流路、前記複数の抜穴部を経て前記保冷媒体により生成する冷気ととともに載置対象物上に載置した前記保冷具本体の表面前方に送風する送風手段を設けたこと、
を特徴とする冷気強制送風式保冷具。
【請求項２】
載置対象物上に載置可能な形状に形成されるとともに、内部にジェルを含む保冷媒体を封入し、かつ、保冷媒体を収納した領域以外の部分に、複数の抜穴部を散在状態に設けた保冷具基体と、
前記保冷具基体の裏面側に添着した多数の通気流路を有する多穴弾性体と、
前記多穴弾性体の裏面側に添着した裏面被覆材と、
前記保冷具基体、多穴弾性体及び裏面被覆材の外周部を逢着し、これらを一体化する周辺逢着材と、
により保冷具本体を構成するとともに、
前記保冷具本体のいずれかの部分に取り付けられるとともに、吸入した空気を、前記多穴弾性体の通気流路、前記複数の抜穴部を経て前記保冷媒体により生成する冷気ととともに載置対象物上に載置した前記保冷具本体の表面前方に送風する送風手段を設けたこと、
を特徴とする冷気強制送風式保冷具。
【請求項３】
載置対象物であるカーシートの着座部、背もたれ部に載置される保冷着座シート部、保冷背もたれシート部を連設するとともに、前記保冷着座シート部、保冷背もたれシート部を形成する被覆材内部に形成した保冷媒体収納部に空気の冷却機能を発揮するジェルを含む保冷媒体を封入し、かつ、前記保冷着座シート部、保冷背もたれシート部の保冷媒体を収納した領域以外の部分に、これらの各部を貫通する複数の抜穴部を散在状態に設けた保冷具基体と、
前記保冷具基体の裏面側に添着した多数の網目状通気流路を有する多穴弾性体と、
前記多穴弾性体の裏面側を覆う布材又は合成樹脂材からなる裏面被覆材と、
前記保冷具基体の被覆材の外周部、多穴弾性体の外周部、裏面被覆材の外周部を逢着し、これらを一体化する周辺逢着材と、
により保冷具本体を構成するとともに、
前記保冷具本体の端辺部に取り付けられるとともに、カーシガレット電源部からの電力供給により動作し、吸入した空気を、前記多穴弾性体の網目状通気流路、前記保冷着座シート部及び前記保冷背もたれシート部に設けた複数の抜穴部を経て、前記保冷媒体により生成する冷気ととともに前記保冷着座シート部及び前記保冷背もたれシート部の表面前方に送風する送風手段を設けたこと、
を特徴とする冷気強制送風式保冷具。
【請求項４】
繊維、綿、ナイロン、ポリエステル、レーヨン、麻、起毛生地、ちりめん、楊柳、タオル地の内から選定される表地と、高周波加熱により溶着可能な非吸水性素材であるポリ塩化ビニルからなる裏地とを有する被覆材をもって、載置対象物であるカーシートの着座部、背もたれ部に対応した形状に形成された保冷着座シート部、保冷背もたれシート部を連設するとともに、前記保冷着座シート部、保冷背もたれシート部を形成する被覆材内部に形成した保冷媒体収納部に、空気の冷却機能を発揮するジェル、ポリアクリル酸ナトリウム、硫酸アンモニウム、硫酸ナトリウム、グリセリン、水、防カビ剤を含む保冷媒体を封入し、かつ、前記保冷着座シート部、保冷背もたれシート部の保冷媒体を収納した領域以外の部分に、前記被覆材を貫通する複数の抜穴部を散在状態に設けた保冷具基体と、
合成樹脂材からなる網目状表地及び網目状裏地を対向配置とし、前記網目状表地、網目状裏地の対向する網材間を、各々間隔を隔て多数の弾性連結糸材により連結して、前記網目状表地、網目状裏地間に弾性を持たせ、かつ、網目状通気流路を形成した構成からなり、前記保冷具基体の裏面側に添着したシート状の多穴弾性体と、
前記シート状の多穴弾性体の裏面側を覆うシート状の裏面被覆材と、
前記保冷具基体の被覆材の外周部、多穴弾性体の外周部、裏面被覆材の外周部を逢着し、これらを一体化する周辺逢着材と、
により保冷具本体を構成するとともに、
前記保冷着座シート部の端辺部に取り付けられるとともに、カーシガレット電源部からの電力供給により動作し、吸入した空気を、前記多穴弾性体の網目状通気流路、前記保冷着座シート部及び前記保冷背もたれシート部に設けた多数の抜穴部を経て、前記保冷媒体により生成する冷気ととともに前記保冷着座シート部及び前記保冷背もたれシート部の表面前方に送風する送風手段を設けたこと、
を特徴とする冷気強制送風式保冷具。
【請求項５】
繊維、綿、ナイロン、ポリエステル、レーヨン、麻、起毛生地、ちりめん、楊柳、タオル地の内から選定される表地と、高周波加熱により溶着可能な非吸水性素材であるポリ塩化ビニルからなる裏地とを有する被覆材をもって、載置対象物であるカーシートの着座部、背もたれ部に対応した形状に形成された保冷着座シート部、保冷背もたれシート部を連設するとともに、前記保冷着座シート部、保冷背もたれシート部を形成する被覆材内部に形成した保冷媒体収納部に、空気の冷却機能を発揮するジェル、ポリアクリル酸ナトリウム、硫酸アンモニウム、硫酸ナトリウム、グリセリン、水、防カビ剤を含む保冷媒体を封入し、かつ、前記保冷着座シート部、保冷背もたれシート部の保冷媒体を収納した領域以外の部分に、前記被覆材を貫通する複数の抜穴部を散在状態に設けた保冷具基体と、
合成樹脂材からなる網目状表地及び網目状裏地を対向配置とし、前記網目状表地、網目状裏地の対向する網材間を、各々間隔を隔て多数の弾性連結糸材により連結して、前記網目状表地、網目状裏地間に弾性を持たせ、かつ、網目状通気流路を形成した構成からなり、前記保冷具基体の裏面側に添着したシート状の多穴弾性体と、
前記シート状の多穴弾性体の裏面側を覆うシート状の裏面被覆材と、
前記保冷具基体の被覆材の外周部、多穴弾性体の外周部、裏面被覆材の外周部を逢着し、これらを一体化する周辺逢着材と、
により保冷具本体を構成するとともに、
吸い込み口からの空気を吐出口から吐出するファンと、カーシガレット電源部に接続するプラグと、前記プラグとファンを接続するケーブルと、前記ファンの吐出口を前記多穴弾性体の網目状通気流路に連通させる送風管部と、前記保冷着座シート部の端辺部に取り付けた前記ファンを着脱可能に収容するとともに前記ファンの吸い込み口のみを露出させる線ファスナ付の袋体と、を具備し、カーシガレット電源部からの電力供給により動作し、吸入した空気を、前記多穴弾性体の網目状通気流路、前記保冷着座シート部及び前記保冷背もたれシート部に設けた多数の抜穴部を経て、前記保冷媒体による冷気ととともに前記保冷着座シート部及び前記保冷背もたれシート部の表面前方に送風する送風手段を設けたこと、
を特徴とする冷気強制送風式保冷具。
【請求項６】
載置対象物である寝具類上に載置可能な形状に形成されるとともに、内部にジェルを含む保冷媒体を封入し、かつ、保冷媒体を収納した領域以外の部分に、複数の抜穴部を散在状態に設けた保冷具基体と、
前記保冷具基体の裏面側に添着した多数の通気流路を有する多穴弾性体と、
前記保冷具基体及び多穴弾性体の外周部を逢着し、これらを一体化する周辺逢着材と、
により保冷具本体を構成するとともに、
前記保冷具本体に取り付けられるとともに、吸入した空気を、前記多穴弾性体の通気流路、前記多数の抜穴部を経て前記保冷媒体により生成する冷気ととともに載置対象物である寝具類上に載置した前記保冷具本体の表面前方に送風する送風手段を設けたこと、
を特徴とする冷気強制送風式保冷具。
【請求項７】
載置対象物である寝具類上に載置可能な形状に形成されるとともに、内部にジェルを含む保冷媒体を封入し、かつ、保冷媒体を収納した領域以外の部分に、複数の抜穴部を散在状態に設けた保冷具基体と、
前記保冷具基体の裏面側に添着した多数の通気流路を有する多穴弾性体と、
前記多穴弾性体の裏面側に添着した裏面被覆材と、
前記保冷具基体、多穴弾性体及び裏面被覆材の外周部を逢着し、これらを一体化する周辺逢着材と、
により保冷具本体を構成するとともに、
前記保冷具本体のいずれかの部分に取り付けられるとともに、吸入した空気を、前記多穴弾性体の通気流路、前記複数の抜穴部を経て前記保冷媒体により生成する冷気ととともに載置対象物である寝具類上に載置した前記保冷具本体の表面前方に送風する送風手段を設けたこと、
を特徴とする冷気強制送風式保冷具。
【請求項８】
布材又は合成樹脂材からなる被覆材をもって、載置対象物である寝具類上に載置可能な形状に形成されるとともに、前記被覆材内部に形成した保冷媒体収納部に空気の冷却機能を発揮するジェルを含む保冷媒体を封入し、かつ、前記被覆材の保冷媒体を収納した領域以外の部分に、前記被覆材を貫通する複数の抜穴部を散在状態に設け保冷具基体と、
前記保冷具基体の裏面側に添着した多数の網目状通気流路を有する多穴弾性体と、
前記多穴弾性体の裏面側を覆う布材又は合成樹脂材からなる裏面被覆材と、
前記保冷具基体の被覆材の外周部、多穴弾性体の外周部、裏面被覆材の外周部を逢着し、これらを一体化する布材又は合成樹脂材からなる周辺逢着材と、
により保冷具本体を構成するとともに、
前記保冷具本体に取り付けられ、電源部からの電力供給により動作し、吸入した空気を、前記多穴弾性体の網目状通気流路、前記多数の抜穴部を経て前記保冷媒体により生成する冷気ととともに載置対象物である寝具類上に載置した前記保冷具本体の表面前方に送風する送風手段を設け、
前記保冷具本体を敷布団用、ベッド用、寝具用マット用又は座布団用の各サイズの内から選定されるサイズとしたこと、
を特徴とする冷気強制送風式保冷具。
【請求項９】
繊維、綿、ナイロン、ポリエステル、レーヨン、麻、起毛生地、ちりめん、楊柳、タオル地の内から選定される表地と、高周波加熱により溶着可能な非吸水性素材であるポリ塩化ビニルからなる裏地とを有する被覆材をもって、載置対象物である寝具類上に載置可能な形状に形成されるとともに、前記被覆材内部に形成した保冷媒体収納部に空気の冷却機能を発揮するジェル、ポリアクリル酸ナトリウム、硫酸アンモニウム、硫酸ナトリウム、グリセリン、水、防カビ剤を含む保冷媒体を封入した保冷具基体と、
合成樹脂材からなる網目状表地及び網目状裏地を対向配置とし、前記網目状表地、網目状裏地の対向する網材間を、各々間隔を隔て多数の弾性連結糸材により連結して、前記網目状表地、網目状裏地間に弾性を持たせ、かつ、網目状通気流路を形成した構成からなり、前記保冷具基体の裏面側に添着した多穴弾性体と、
前記シート状の多穴弾性体の裏面側を覆う裏面被覆材と、
前記保冷具本体の被覆材の外周部、多穴弾性体の外周部、裏面被覆材の外周部を逢着し、これらを一体化する周辺逢着材と、
により保冷具本体を構成するとともに、
前記保冷具本体の端辺部に取り付けられ、電源部からの電力供給により動作し、吸入した空気を、前記多穴弾性体の網目状通気流路、前記多数の抜穴部を経て前記保冷媒体により生成する冷気ととともに載置対象物である寝具類上に載置した前記保冷具本体の表面前方に送風する送風手段を設け、
前記保冷具本体を敷布団用、ベッド用、寝具用マット用又は座布団用の各サイズの内から選定されるサイズとしたこと、
を特徴とする冷気強制送風式保冷具。
【請求項１０】
繊維、綿、ナイロン、ポリエステル、レーヨン、麻、起毛生地、ちりめん、楊柳、タオル地の内から選定される表地と、高周波加熱により溶着可能な非吸水性素材であるポリ塩化ビニルからなる裏地とを有する被覆材をもって、載置対象物である寝具類上に載置可能な形状に形成されるとともに、前記被覆材内部に形成した保冷媒体収納部に空気の冷却機能を発揮するジェル、ポリアクリル酸ナトリウム、硫酸アンモニウム、硫酸ナトリウム、グリセリン、水、防カビ剤を含む保冷媒体を封入した保冷具基体と、
合成樹脂材からなる網目状表地及び網目状裏地を対向配置とし、前記網目状表地、網目状裏地の対向する網材間を、各々間隔を隔て多数の弾性連結糸材により連結して、前記網目状表地、網目状裏地間に弾性を持たせ、かつ、網目状通気流路を形成した構成からなり、前記保冷具基体の裏面側に添着した多穴弾性体と、
前記シート状の多穴弾性体の裏面側を覆う裏面被覆材と、
前記保冷具本体の被覆材の外周部、多穴弾性体の外周部、裏面被覆材の外周部を逢着し、これらを一体化する周辺逢着材と、
により保冷具本体を構成するとともに、
吸い込み口からの空気を吐出口から吐出するファンと、カーシガレット電源部に接続するプラグと、前記プラグとファンを接続するケーブルと、前記ファンの吐出口を前記多穴弾性体の網目状通気流路に連通させる送風管部と、前記保冷具本体の端辺部に取り付けた前記ファンを着脱可能に収容するとともに、前記ファンの吸い込み口のみを露出させる線ファスナ付の袋体と、を具備し、商用電源部からの電力供給により動作し、吸入した空気を、前記多穴弾性体の網目状通気流路、前記多数の抜穴部を経て前記保冷媒体により生成する冷気とともに載置対象物である寝具類上に載置した前記保冷具本体の表面前方に送風する送風手段を設け、
前記保冷具本体を敷布団用、ベッド用、寝具用マット用又は座布団用の各サイズの内から選定されるサイズとしたこと、
を特徴とする冷気強制送風式保冷具。
【考案の詳細な説明】
【技術分野】
【０００１】
本考案は、冷気強制送風式保冷具に関し、詳しくは、例えば高温期における使用者の快適性向上を図った冷気強制送風式保冷具に関するものであり、更に、例えばカーシート等の載置対象物上に着座している使用者に対し高温期における長時間走行時等において、空調による冷気が行き渡らないような身体の部位を効果的に冷却し、使用者の快適性を向上し得る冷気強制送風式保冷具に関するものである。
【背景技術】
【０００２】
例えば、夏場のような高温期におけるカー（自動車）の車内環境の快適性を図るために、周知のように運転者、同乗者等の身体の前方から冷気を吹き付けるカーエアコンが多く用いられている。
【０００３】
しかし、従来のカーエアコンの場合、運転者、同乗者等の身体における顔、手等に対する冷却効果は十分発揮するものの、カーシートに密着する身体の背中や太腿裏側等については必ずしも冷気が行き渡らず、このため長時間走行時等において運転者、同乗者等の背中等に熱が籠り発汗による不快感が発生するような事態が多々生じている。
そして、以上のような事態は、単に長時間走行時等において運転者、同乗者等の背中等に熱が籠り発汗による不快感が発生するような事態ばかりでなく、一般生活におけるあらゆる場面において生ずることである。
【０００４】
このため、例えば長時間走行時等においてカーエアコンによる冷気が行き渡らない身体の部位を冷却し快適性を向上し得るような冷気強制送風式保冷具の出現が期待されるところである。
【０００５】
この種のカーシート用保冷具としては、特許文献１に、チャイルド用として、密封された袋状容器と、該袋状容器に充填された蓄冷材とを具備し、袋状容器がチャイルドカーシートのシート部形状、シートカバー形状またはシートクッション形状と略同形状の外形を有する構成としたチャイルドカーシート用防暑具が提案されている。
【０００６】
しかし、このチャイルドカーシート用防暑具の場合、チャイルドカーシートのシート部形状に対応させた外形を有する袋状容器に蓄冷材のみを充填した構成であり、このチャイルドカーシート用防暑具を大人用に応用したとしても、高温期における長時間走行等において、運転者、同乗者等のカーエアコンによる冷気が行き渡らない身体の部位に対する冷却作用は必ずしも十分ではないものである。
【先行技術文献】
【特許文献】
【０００７】
【特許文献１】登録実用新案第３０６４５０７公報
【考案の概要】
【考案が解決しようとする課題】
【０００８】
本考案が解決しようとする問題点は、例えば高温期における使用者の快適性向上を図った冷気強制送風式保冷具に関するものであり、例えばカーシート等の載置対象物上に着座している使用者に対し高温期における長時間走行時等において、空調による冷気が行き渡らないような身体の部位を効果的に冷却し、使用者の快適性を向上し得るような冷気強制送風式保冷具が存在しない点である。
【課題を解決するための手段】
【０００９】
本考案に係る冷気強制送風式保冷具は、載置対象物（例えばカーシート等）上に載置可能な形状に形成されるとともに、内部にジェルを含む保冷媒体を封入し、かつ、保冷媒体の収納領域以外の領域に多数の抜穴部を散在状態に設けた保冷具基体と、前記保冷具基体の裏面側に添着した多数の通気流路を有する多穴弾性体と、前記多穴弾性体の裏面側に添着した裏面被覆材と、前記保冷具基体、多穴弾性体及び裏面被覆材の外周部を逢着し、これらを一体化する周辺逢着材と、により保冷具本体を構成するとともに、前記保冷具本体の端辺部に取り付けられて、吸入した空気を、前記多穴弾性体の通気流路、前記多数の抜穴部を経て前記保冷媒体により生成する冷気ととともに載置対象物上に載置した前記保冷具本体の表面前方に送風する送風手段を設けたこと、を最も主要な特徴とする。
【考案の効果】
【００１０】
請求項１、請求項２記載の考案によれば、載置対象物上に保冷具本体を載置した状態において、送風手段を動作させることにより、吸入した空気を、保冷具本体における多穴弾性体の通気流路、多数の抜穴部を経て、保冷媒体による冷気ととともに載置対象物上に載置した保冷具本体の表面前方に送風することによって、保冷具本体を使用する使用者の大腿の裏側や背中等の熱のこもり易い身体の部位を効果的に冷却することができ、快適性を確実に向上させることができる冷気強制送風式保冷具を実現し提供することができる。
【００１１】
請求項３記載の考案によれば、保冷具本体を構成する保冷具基体を、載置対象物であるカーシートの着座部、背もたれ部に載置される保冷着座シート部、保冷背もたれシート部を有する構成とし、カーシガレット電源部からの電力供給により送風手段を動作させることにより、吸入した空気を、前記多穴弾性体の網目状通気流路、前記保冷着座シート部及び前記保冷背もたれシート部に設けた多数の抜穴部を経て、前記保冷媒体により生成する冷気ととともに前記保冷着座シート部及び前記保冷背もたれシート部の表面前方に送風することができ、夏場のような高温期において、カーシート着座者の大腿の裏側や背中等の熱のこもり易い身体の部位を効果的に冷却することができ、運転者、同乗者等のカー内のシート着座時における快適性を確実に向上させることができる冷気強制送風式保冷具を実現し提供することができる。
【００１２】
請求項４記載の考案によれば、請求項３記載の考案と同様な構成で、かつ、繊維、綿、ナイロン、ポリエステル、レーヨン、麻、起毛生地、ちりめん、楊柳、タオル地の内から選定される表地と、高周波加熱により溶着可能な非吸水性素材であるポリ塩化ビニルからなる裏地とを有する被覆材を用いて保冷具基体を構成し、この保冷具基体内にジェル、ポリアクリル酸ナトリウム、硫酸アンモニウム、硫酸ナトリウム、グリセリン、水、防カビ剤を含む保冷媒体を封入した構成の基に、請求項３記載の考案と同様、夏場のような高温期において、カーシート着座者の大腿の裏側や背中等の熱のこもり易い身体の部位を効果的に冷却することができ、運転者、同乗者等のカー内のシート着座時における快適性を確実に向上させることができる冷気強制送風式保冷具を実現し提供することができる。
【００１３】
請求項５記載の考案によれば、請求項４記載の考案と同様な構成で、かつ、送風手段を、吸い込み口からの空気を吐出口から吐出するファンと、カーシガレット電源部に接続するプラグと、前記プラグとファンを接続するケーブルと、前記ファンの吐出口を前記多穴弾性体の網目状通気流路に連通させるダクト部と、前記保冷着座シート部の端辺部に取り付けた前記ファンを着脱可能に収容するとともに前記ファンの吸い込み口のみを露出させる線ファスナ付の袋体と、を具備する具体的な構成として、請求項４記載の考案と同様、夏場のような高温期において、カーシート着座者の大腿の裏側や背中等の熱のこもり易い身体の部位を効果的に冷却することができ、運転者、同乗者等のカー内のシート着座時における快適性を確実に向上させることができるカーシート用保冷具を実現し提供することができる。
【００１４】
請求項６、請求項７記載の考案によれば、載置対象物である寝具類上に保冷具本体を載置した状態において、送風手段を動作させることにより、吸入した空気を、保冷具本体における多穴弾性体の通気流路、多数の抜穴部を経て、保冷媒体による冷気ととともに載置対象物上に載置した保冷具本体の表面前方に送風することによって、夏場のような高温期において、寝具類上に載せた保冷具本体を使用する使用者の熱のこもり易い身体の部位を効果的に冷却することができ、快適性を確実に向上させることができる冷気強制送風式保冷具を実現し提供することができる。
【００１５】
請求項８記載の考案によれば、保冷具本体を、敷布団用、ベッド用、寝具用マット用又は座布団用の各サイズの内から選定されるサイズとした構成とし、電源部からの電力供給により送風手段を動作させることにより、吸入した空気を、前記多穴弾性体の網目状通気流路、多数の抜穴部を経て、前記保冷媒体により生成する冷気ととともに前記保冷具本体の表面前方に送風することによって、夏場のような高温期において、寝具類上に載せた保冷具本体を使用する使用者の熱のこもり易い身体の部位を効果的に冷却することができ、快適性を確実に向上させることができる冷気強制送風式保冷具を実現し提供することができる。
【００１６】
請求項９記載の考案によれば、請求項８記載の考案と同様な構成で、かつ、繊維、綿、ナイロン、ポリエステル、レーヨン、麻、起毛生地、ちりめん、楊柳、タオル地の内から選定される表地と、高周波加熱により溶着可能な非吸水性素材であるポリ塩化ビニルからなる裏地とを有する被覆材を用いて保冷具基体を構成し、この保冷具基体内にジェル、ポリアクリル酸ナトリウム、硫酸アンモニウム、硫酸ナトリウム、グリセリン、水、防カビ剤を含む保冷媒体を封入した構成の基に、請求項８記載の考案と同様、夏場のような高温期において、寝具類上に載せた保冷具本体を使用する使用者の熱のこもり易い身体の部位を効果的に冷却することができ、快適性を確実に向上させることができる冷気強制送風式保冷具を実現し提供することができる。
【００１７】
請求項１０記載の考案によれば、請求項９記載の考案と同様な構成で、かつ、送風手段を、吸い込み口からの空気を吐出口から吐出するファンと、商用電源部に接続するプラグと、前記プラグとファンを接続するケーブルと、前記ファンの吐出口を前記多穴弾性体の網目状通気流路に連通させるダクト部と、前記保冷着座シート部の端辺部に取り付けた前記ファンを着脱可能に収容するとともに前記ファンの吸い込み口のみを露出させる線ファスナ付の袋体と、を具備する具体的な構成として、請求項９記載の考案と同様、夏場のような高温期において、寝具類上に載せた保冷具本体を使用する使用者の熱のこもり易い身体の部位を効果的に冷却することができ、快適性を確実に向上させることができる冷気強制送風式保冷具を実現し提供することができる。
【図面の簡単な説明】
【００１８】
【図１】図１は本考案の実施例１に係る冷気強制送風式保冷具の全体構成を示す概略正面図である。
【図２】図２は本実施例１に係る冷気強制送風式保冷具における保冷具本体を表面側から見た概略斜視図である。
【図３】図３は本実施例１に係る冷気強制送風式保冷具の概略裏面図である。
【図４】図４は本実施例１に係る冷気強制送風式保冷具における保冷具本体に図３に示すような裏面被覆材を装着しない構成例とした場合の裏面側から見た概略斜視図である。
【図５】図５は本実施例１に係る冷気強制送風式保冷具の送風手段及び保冷具本体の一部を示す概略部分拡大断面図である。
【図６】図６は本実施例１に係る冷気強制送風式保冷具の多穴弾性体の部分拡大図である。
【図７】図７は本実施例１に係る冷気強制送風式保冷具をカーシートに載置した状態の使用態様を示す概略斜視図である。
【図８】図８は本考案の実施例２に係る冷気強制送風式保冷具の全体構成を示す概略正面図である。
【図９】図９は本実施例２に係る冷気強制送風式保冷具の送風手段及び保冷具本体を一部を断面として示す概略部分拡大図である。
【図１０】図１０は本実施例２に係る冷気強制送風式保冷具の変形例を示す概略正面図である。
【図１１】図１１は本実施例２に係る冷気強制送風式保冷具の別の変形例を示す概略正面図である。
【考案を実施するための形態】
【００１９】
本考案は、例えば高温期における使用者の快適性向上を図った冷気強制送風式保冷具に関するものであり、例えばカーシート等の載置対象物上に着座している使用者に対し高温期における長時間走行時等において、空調による冷気が行き渡らないような身体の部位を効果的に冷却し、使用者の快適性を向上し得る冷気強制送風式保冷具を実現し提供するという目的を、例えばカーシートの着座部、背もたれ部に対応した形状に形成された保冷着座シート部、保冷背もたれシート部を連設するとともに、前記保冷着座シート部、保冷背もたれシート部に前記被覆材を貫通する多数の抜穴部を散在状態に設け、かつ、前記保冷着座シート部、保冷背もたれシート部を形成する被覆材内部に形成した保冷媒体収納部に空気の冷却機能を発揮するジェルを含む保冷媒体を封入した保冷具基体と、前記保冷具基体の裏面側に添着した多数の網目状通気流路を有する多穴弾性体と、前記多穴弾性体の裏面側を覆う布材又は合成樹脂材からなる裏面被覆材と、前記保冷具基体の被覆材の外周部、多穴弾性体の外周部、裏面被覆材の外周部を逢着し、これらを一体化する周辺逢着材と、により保冷具本体を構成するとともに、前記保冷具本体の端辺部に取り付けられるとともに、カーシガレット電源部からの電力供給により動作し、吸入した空気を、前記多穴弾性体の網目状通気流路、前記保冷着座シート部及び前記保冷背もたれシート部に設けた多数の抜穴部を経て、前記保冷媒体により生成する冷気ととともに前記保冷着座シート部及び前記保冷背もたれシート部の表面前方に送風する送風手段を設けた構成により実現した。
【実施例】
【００２０】
以下、本考案の実施例に係る冷気強制送風式保冷具について、図面を参照して詳細に説明する。
【００２１】
（実施例１）
本実施例１に係る冷気強制送風式保冷具１は、図１〜図７に示すように、図７に示す載置対象物であるカーシート６１の着座部６２、背もたれ部６３に対応した形状に形成された保冷着座シート部３、保冷背もたれシート部４を、折り畳み可能に連設してシート状の被覆材２を積層した保冷具基体５を有する保冷具本体１０を具備している。
【００２２】
前記保冷具本体１０は、以下に詳述するように、前記保冷具基体５と、この保冷具基体５の裏面側に添着した多数の網目状通気流路を有する多穴弾性体２１と、前記多穴弾性体２１の裏面側を覆う布材又は合成樹脂材からなる裏面被覆材３１と、前記保冷具基体５の外周部、多穴弾性体２１の外周部、裏面被覆材３１の外周部を逢着し、これらを一体化する布材又は合成樹脂材からなる周辺逢着材４１と、を有している。
なお、前記裏面被覆材３１は必ずしもこれを必要とするものではなく、これを不要として構成しても良い。
【００２３】
前記保冷具本体１０における前記保冷着座シート部３の裏面側をカーシート６１の着座部６２に、また、前記保冷背もたれシート部４の裏面側をカーシート６１の背もたれ部６３に添着する状態で載置可能に構成している。
【００２４】
前記保冷具基体５を構成する被覆材２は、繊維、綿、ナイロン、ポリエステル、レーヨン、麻、起毛生地、ちりめん、楊柳、タオル地の内から選定される表地１１と、高周波加熱により溶着可能な非吸水性素材であるポリ塩化ビニルからなる裏地１２とを有し、このような構成の被覆材２を重ね合わせて、前記保冷着座シート部３、保冷背もたれシート部４が一体に連設するように形成している。
【００２５】
また、前記保冷着座シート部３、保冷背もたれシート部４に、各々平面視略四角形状を呈する保冷媒体収容部３ａ、４ａを設け、前記保冷媒体収容部３ａ、４ａの所定の箇所を裏地１２同士の高周波加熱により円形に溶着して接合し、保冷媒体を収納した領域以外の部分に、各々２枚の被覆材２を貫通する複数又は多数の（図１に示す例では保冷着座シート部３、保冷背もたれシート部４に各々６個）抜穴部１３を散在状態に設けている。
【００２６】
更に、前記保冷着座シート部３、保冷背もたれシート部４の外周部分は、やはり裏地１２同士の高周波加熱により溶着して周辺溶着部３ｂ、４ｂとするとともに、前記保冷着座シート部３、保冷背もたれシート部４における抜穴部１３以外の領域に、各々裏地１２同士の高周波加熱による接合により直線状及び略十字状の内側溶着部３ｃ、４ｃを散在状態に設けている。
【００２７】
そして、前記保冷着座シート部３、保冷背もたれシート部４の内部の保冷媒体収容部３ａ、４ａ内に各々詳細は後述する保冷媒体１４をその流動を規制する状態で封入するように構成している。
【００２８】
前記保冷媒体１４は、例えば、ジェル、ポリアクリル酸ナトリウム、硫酸アンモニウム、硫酸ナトリウム、グリセリン、水、防カビ剤を含む構成からなり、公知のように周辺空気の冷却機能を発揮するものである。
【００２９】
前記保冷具本体１０は、更に、前記２枚の被覆材２の内の一方側、すなわち、裏面側全体を覆うように添着したシート状の多穴弾性体２１と、前記多穴弾性体２１の裏面側を覆う布材又は合成樹脂材からなるシート状の裏面被覆材３１と、前記保冷具基体５における２枚の被覆材２の外周部、多穴弾性体２１の外周部、裏面被覆材３１の外周部を逢着して、これらを一体化する前記周辺逢着材４１と、前記保冷着座シート部３のいずれかの部分、例えば保冷着座シート部３の端辺部に取り付けた送風手段５１と、を有している。
【００３０】
前記多穴弾性体２１は、図５、図６に示すように、六角形状、円形状、楕円形状、四角形状、菱形状のような形状から選定される網目状通気流路を形成する多数の穴２２が連続して連なる形態の矩形シート状の例えばポリエステル材又はナイロン材のような網目状表地２３及び網目状裏地２４を対向配置とし、前記網目状表地２３、網目状裏地２４の対向する網材２３ａ、２４ａ間を、各々間隔を隔て多数の弾性連結糸材２５（弾性連結糸材群）により連結することにより、前記網目状表地２３、網目状裏地２４間に弾性（バネ性）を持たせるとともに、かつ、網目状通気流路による通気性を持たせた構成となっている。
【００３１】
前記弾性連結糸材２５としては、例えばナイロン又はテフロン（登録商標）のような材質からなるモノフィラメント又はマルチフィラメントを採用している。前記多穴弾性体２１の厚さは、例えば３〜２０ｍｍに設定するものである。
【００３２】
前記網材２３ａ、２４ａ間を各々間隔を隔て連結する前記弾性連結糸材２５の連結態様は、例えば、ストレート、クロス、ストレート・クロス混合の各態様を挙げることができる。
【００３３】
前記保冷具基体５は、更に、図３に示すように、前記裏面被覆材３１側に、カーシート６１の着座部６２、背もたれ部６３への取り付け用の取り付けベルト部３２を配置している。
【００３４】
前記送風手段５１は、図１、図５、図７に示すように、例えば前記保冷着座シート部３の端辺部に逢着により取り付けられるとともに、図１に示す例えばＤＣ１２Ｖ又は２４Ｖの電圧出力を有するカーシガレット電源部５２からの電力供給により動作し、カー（自動車）室内から吸い込んだ空気を、前記多穴弾性体２１、前記保冷着座シート部３及び保冷背もたれシート部４に設けた多数の抜穴部１３を経て、前記保冷媒体１４により生成する冷気ととともに前記保冷着座シート部３及び前記保冷背もたれシート部４の表面（の前方）、すなわち、着座した使用者（運転者、同乗者）の太腿裏側、背中に向けて送風するように構成している。
【００３５】
更に、詳述すると、前記送風手段５１は、図１、図５、図７に示すように、カー室内の空気を吸い込み口５３ａより吸い込んで、吐出口５３ｂから吐出する公知のファン（例えばシロッコファン等々）５３と、カーシガレット電源部５２に装着するプラグ５４と、前記プラグ５４と前記ファン５３を接続する電源ケーブル５５と、前記ファン５３の吐出口５３ｂを多穴弾性体２１の網目状通気流路に連通させる例えば合成樹脂管からなる送風管部５６と、前記ファン５３の吸い込み口５３ａを露出させてその他の部分を被覆するとともに例えばジッパー等の線ファスナ６０により開閉する構造の袋体５７と、を具備している。
【００３６】
前記電源ケーブル５５は、その任意位置に接続プラグ５８、接続ソケット５９を具備し、これにより、前記ファン５３側とプラグ５４側とを分離可能に構成し、冷気強制送風式保冷具１の不使用時、保管時等における電源ケーブル５５の収納の便宜を図っている。
【００３７】
次に、本実施例１に係る冷気強制送風式保冷具１の作用、効果をその使用態様とともに説明する。
【００３８】
本実施例１に係る冷気強制送風式保冷具１の使用に際しては、図７に示すように、前記保冷具本体１０における保冷着座シート部３の裏面側をカーシート６１の着座部６２に、また、前記保冷背もたれシート部４の裏面側をカーシート６１の背もたれ部６３に添着する状態で載置する。
【００３９】
次に、前記カーシガレット電源部５２にプラグ５４を装着し、カーシガレット電源部５２から電源ケーブル５５を経てファン５３に所定の電圧を供給する。
これにより、ファン５３が回転してカー室内の空気を吸い込み、吐出口５３ｂから送風管部５６を経て多穴弾性体２１の網目状通気流路に空気を送風する。
【００４０】
これにより、多穴弾性体２１の網目状通気流路を通過した空気は前記保冷着座シート部３及び保冷背もたれシート部４に設けた多数の抜穴部１３を経て、前記保冷媒体１４により生成する冷気ととともに前記保冷着座シート部３及び前記保冷背もたれシート部４の表面前方、すなわち、使用者の太腿裏側、背中に向けて送風される。
【００４１】
このとき、裏面被覆材３１が存在することから、前記冷気はカーシート６１の着座部６２や背もたれ部６３側に漏れ出ることは無く、前記冷気を効率よく前記保冷着座シート部３及び前記保冷背もたれシート部４に接している使用者の太腿裏側、背中に効率よく送風することができる。
【００４２】
これにより、例えば、高温期におけるカーによる長時間走行時等においても、カーシート６１に着座した状態でカーエアコンによる冷気が行き渡らない運転者、同乗者等の身体における大腿の裏側や背中等の部位が効果的に冷却され、熱のこもりが解消されて当該使用者の発汗が抑えられて、カー内の着座時における使用者の快適性を、冷気強制送風式保冷具１を使用しない場合に比べると確実に向上させることができる。
【００４３】
図４は、前記保冷具本体１０の変形例である保冷具本体１０Ａの裏面の形態を示すものであり、この保冷具本体１０Ａは、前記保冷具本体１０と略同様な構成であるが、前記多穴弾性体２１の裏面側の裏面被覆材３１を無くし、多穴弾性体２１の裏面側を表出させて構成したことが特徴である。
【００４４】
このような保冷具本体１０Ａを用いて冷気強制送風式保冷具１を構成することも可能であり、この場合には多穴弾性体２１の裏面側がカーシート６１の着座部６２、背もたれ部６３に直接接触することから、カーシート６１の着座部６２、背もたれ部６３自体を前記裏面被覆材３１の代わりとして作用させることができる。
【００４５】
なお、この場合には、前記裏面被覆材３１を無くしたことにより、冷気がカーシート６１の着座部６２、背もたれ部６３側に若干漏れ出ることを避けることはできないが、この場合においても、カーシート６１に着座しカーエアコンによる冷気が行き渡らない使用者の身体の大腿の裏側や背中等の部位が冷却され、熱のこもりが解消されて当該使用者の発汗が抑えられて、カー内の着座時の快適性を、冷気強制送風式保冷具１を使用しない場合に比べると向上させることができる。
【００４６】
（実施例２）
本実施例２に係る冷気強制送風式保冷具１Ａについて、図８、図９を参照して説明する。
【００４７】
本実施例２に係る冷気強制送風式保冷具１Ａにおいて、既述した実施例１に係る冷気強制送風式保冷具１の場合と同一の要素部分には同一の符号を付し、その詳細説明は省略する。
【００４８】
本実施例２に係る冷気強制送風式保冷具１Ａは、基本的には実施例１に係る冷気強制送風式保冷具１と同様な構成であるが、前記保冷具本体１０に替えて、載置対象物である寝具類の一種としてのベッド用（又は敷布団用）のシーツサイズ、例えば幅９０ｃｍ×長さ１８０ｃｍとした保冷具本体７０を採用したこと、当該保冷具本体７０のいずれかの部分、例えば保冷具本体７０の端辺部に取り付ける送風手段８１として、例えば家庭用のＡＣ１００Ｖの商用電源部９０に対応する仕様のものを採用したことが特徴である。
本考案においては、保冷具本体７０のサイズを図示例に限定するものではなく、図示例以外のサイズとしてこれを構成しても良い。
【００４９】
すなわち、保冷具本体７０は、シーツサイズの保冷具基体７１と、前記保冷具基体７１の裏面側に添着した多数の網目状通気流路を有する多穴弾性体２１と、前記多穴弾性体２１の裏面側を覆う布材又は合成樹脂材からなる裏面被覆材３１と、前記保冷具基体５の外周部、多穴弾性体２１の外周部、裏面被覆材３１の外周部を逢着し、これらを一体化する布材又は合成樹脂材からなる周辺逢着材４１と、を有している。
なお、前記裏面被覆材３１は必ずしもこれを必要とするものではなく、これを不要として構成しても良い。
【００５０】
前記保冷具基体７１は、実施例１の保冷具基体５と同様な素材からなるとともに、図８に示すように、保冷具本体７０を構成する裏地１２同士の高周波加熱による外周圧着部７２、円環状で、かつ、保冷媒体を収納した領域以外の部分に設置した抜穴部７５を有する多数の部分圧着部７３及び直線状の複数の中間圧着部７４からなる各圧着部を設け、これら各圧着部により画される領域を保冷媒体収容部７１ａとして、この保冷媒体収容部７１ａに保冷媒体１４を密封収納している。
【００５１】
前記送風手段８１は、図８に示すように、室内の空気を吸い込み口５３ａより吸い込んで、吐出口５３ｂから吐出する公知のファン（例えばシロッコファン等：商用電源対応仕様）５３と、商用電源部９０に装着するＡＣプラグ８２と、前記ＡＣプラグ８２と前記ファン５３を接続する電源ケーブル５５と、前記ファン５３の吐出口５３ｂを多穴弾性体２１の網目状通気流路に連通させる例えば合成樹脂管からなる送風管部５６と、前記ファン５３の吸い込み口５３ａを露出させその他の部分を被覆するとともにジッパー等の線ファスナ６０により開閉する構造の袋体５７と、を具備している。
【００５２】
本実施例２に係る冷気強制送風式保冷具１Ａによれば、例えば、保冷具本体７０を図８に示すように、ベッド１００上に載置し、ＡＣプラグ８２を商用電源部９０に装着することによって、ファン５３が回転して室内の空気を吸い込み、吐出口５３ｂから送風管部５６を経て多穴弾性体２１の網目状通気流路に空気を送風する。
【００５３】
これにより、多穴弾性体２１の網目状通気流路を通過した空気は前記保冷具基体７１に設けた複数又は多数の抜穴部７５を経て、前記保冷媒体１４により生成する冷気ととともに前記保冷具本体７０上の使用者の背中、腰等に向けて送風される。
【００５４】
この結果、夏季等の高温期においても、ベッド１００上の冷気強制送風式保冷具１Ａ上に就寝している使用者の身体の背中、腰等の部位が効果的に冷却され、熱のこもりが解消されて当該使用者の発汗が抑えられて、就寝時における使用者の快適性を確実に向上させることができる。
【００５５】
図１０は、本実施例２に係る冷気強制送風式保冷具１Ａの変形例である冷気強制送風式保冷具１Ｂを示すものであり、この冷気強制送風式保冷具１Ｂは、実施例２に係る冷気強制送風式保冷具１Ａと略同様な構成であるが、保冷具本体７０のサイズを載置対象物である寝具類の一種としてのベッド用（又は敷布団用）のハーフシーツサイズ、例えば、幅９０ｃｍ×長さ１４０ｃｍとしたことが特徴であり、残余の構成は実施例２に係る冷気強制送風式保冷具１Ａと同様である。
【００５６】
この変形例の冷気強制送風式保冷具１Ｂによっても、実施例２に係る冷気強制送風式保冷具１Ａの場合と同様に、夏季等の高温期においても、ベッド上の冷気強制送風式保冷具１Ｂ上に就寝している使用者の身体の背中の部位が効果的に冷却され、熱のこもりが解消されて当該使用者の発汗が抑えられて、就寝時における使用者の快適性を確実に向上させることができる。
【００５７】
更には、変形例の冷気強制送風式保冷具１Ｂは、ハーフシーツサイズとして構成しているので、例えば、大人より身長が小さい子供等の就寝用として好適に使用できるという利点がある。
【００５８】
図１１は、本実施例２に係る冷気強制送風式保冷具１Ａの別の変形例である冷気強制送風式保冷具１Ｃを示すものであり、この冷気強制送風式保冷具１Ｂは、実施例２に係る冷気強制送風式保冷具１Ａと略同様な構成であるが、保冷具本体７０のサイズを載置対象物である寝具類の一種としての座布団用のサイズ、例えば、幅４５ｃｍ×長さ４５ｃｍの小型サイズとしたことが特徴であり、残余の構成は実施例２に係る冷気強制送風式保冷具１Ａと同様である。
【００５９】
本考案においては、保冷具本体７０のサイズを図示例に限定するものではなく、図示例以外のサイズとしてこれを構成しても良い。例えば、前記保冷具本体７０を、敷布団用とする場合は幅９０ｃｍ×長さ１４０ｃｍのサイズ、その他日常用のマットとする場合は幅９０ｃｍ×長さ９０ｃｍのサイズ、座布団用のマットとする場合は幅４０ｃｍ×長さ４０ｃｍのサイズ等に構成することができる。
【００６０】
この変形例の冷気強制送風式保冷具１Ｃによれば、座布団用のサイズという小型の構成の基に、座布団上に冷気強制送風式保冷具１Ｃ上に座る使用者の腰や大腿の裏側へ冷気わ送風することができ、その部位が効果的に冷却され、熱のこもりが解消されて当該使用者の発汗が抑えられて、例えば使用者が冷気強制送風式保冷具１Ｃ上に座り読書等をしている場合の快適性を確実に向上させることができる。
【００６１】
更には、この変形例の冷気強制送風式保冷具１Ｃは、座布団用のサイズとしているので、例えば、身長がより小さい幼児等の就寝用として好適に使用できるという利点がある。
【産業上の利用可能性】
【００６２】
本考案の冷気強制送風式保冷具は、乗用車、トラック、バス等のカーシート用、各種作業機械の運転席シート用等として、更には、航空機、船舶等の運転席シート用等として広範に応用可能であり、また、日常的に使用される各種サイズのシート状等の保冷具に広範に適用可能である。
【符号の説明】
【００６３】
１    冷気強制送風式保冷具
１Ａ  冷気強制送風式保冷具
１Ｂ  冷気強制送風式保冷具
１Ｃ  冷気強制送風式保冷具
２    被覆材
３    保冷着座シート部
３ａ  保冷媒体収容部
３ｂ  周辺溶着部
３ｃ  内側溶着部
４    保冷背もたれシート部
４ａ  保冷媒体収容部
４ｂ  周辺溶着部
４ｃ  内側溶着部
５    保冷具基体
１０    保冷具本体
１０Ａ  保冷具本体
１１    表地
１２    裏地
１３    抜穴部
１４    保冷媒体
２１    多穴弾性体
２２    穴
２３    網目状表地
２３ａ  網材
２４    網目状裏地
２４ａ  網材  
２５    弾性連結糸材
３１    裏面被覆材
３２    ベルト部
４１    周辺逢着材
５１    送風手段
５２    カーシガレット電源部
５３    ファン
５３ａ  吸い込み口
５３ｂ  吐出口
５４    プラグ
５５    電源ケーブル
５６    送風管部
５７    袋体
５８    接続プラグ
５９    接続ソケット
６０    線ファスナ
６１    カーシート
６２    着座部
６３    背もたれ部
７０    保冷具本体
７１    保冷具基体
７１ａ  保冷媒体収容部
７２    外周圧着部
７３    部分圧着部
７４    中間圧着部
７５    抜穴部
８１    送風手段
８２    ＡＣプラグ
９０    商用電源部
１００    ベッド
【図１】
0003169036.tif 000003
【図２】
0003169036.tif 000004
【図３】
0003169036.tif 000005
【図４】
0003169036.tif 000006
【図５】
0003169036.tif 000007
【図６】
0003169036.tif 000008
【図７】
0003169036.tif 000009
【図８】
0003169036.tif 000010
【図９】
0003169036.tif 000011
【図１０】
0003169036.tif 000012
【図１１】
0003169036.tif 000013